(57)【特許請求の範囲】
【請求項１】
建物の躯体を屋根と躯体壁と該躯体壁の外表面に配置された外壁とを有して構成し、
上記躯体壁に対し基板と連係板と支持板とからなる断面略コ字状をした支持金具を取付けるものであって、この支持金具は上記外壁の上面部を渡架するようにその基板を上記躯体壁に固定すると共に、その支持板を上記外壁の外表面に配置してなり、
上記支持金具の支持板と外壁との間に壁外通気層を設けると共に、屋根と天井部との間の天井裏に上部通気層を設け、この上部通気層と上記壁外通気層とを上記支持金具の連係板を介して連通させてなることを特徴とする建物の通気構造。
【請求項２】
上記外壁と支持金具との間に開口部を設け、該開口部を介して上記支持金具と外壁との間に壁外通気層が設けられていることを特徴とする請求項１記載の建物の通気構造。
【請求項３】
上記躯体壁と外壁との間に壁内通気層を設け、この壁内通気層と上記壁外通気層とを上記支持金具の連係板を介して連通させてなることを特徴とする請求項１記載の建物の通気構造。
【請求項４】
上記上部通気層と壁内通気層と壁外通気層とが相互に連通してなることを特徴とする請求項３記載の建物の通気構造。
【請求項５】
建物の躯体を屋根と躯体壁と該躯体壁の外表面に配置された外壁とを有して構成し、
上記躯体壁に対し基板と連係板と支持板とからなる断面略コ字状をした支持金具を取付けるものであって、この支持金具は上記外壁の上面部を渡架するようにその基板を上記躯体壁に固定すると共に、その支持板を上記外壁の外表面に配置してなり、
上記屋根には防水シートを設けてその端部を該屋根の外縁部から下方に垂下させ、この垂下部を上記躯体に取付けた支持金具の支持板に張着し、上記屋根の外縁部に垂直部材と水平部材とを有する略Ｌ字状の外縁金具を取付けると共に、上記垂直部材を上記支持金具の支持板に、その間に上記防水シートの垂下部を介在して固定してなり、
上記外縁金具及び支持金具と外壁との間に壁外通気層を設けると共に、屋根と天井部との間の天井裏に上部通気層を設け、この上部通気層と上記壁外通気層とを上記支持金具の連係板を介して連通させてなることを特徴とする建物の通気構造。
【請求項６】
上記外壁と支持金具及び外縁金具との間に開口部を設け、該開口部を介して上記支持金具及び外縁金具と外壁との間に壁外通気層が設けられていることを特徴とする請求項５記載の建物の通気構造。
【請求項７】
上記躯体壁と外壁との間に壁内通気層を設け、この壁内通気層と上記壁外通気層とを上記支持金具の連係板を介して連通させてなることを特徴とする請求項５記載の建物の通気構造。
【発明の詳細な説明】
【０００１】
【発明の属する技術分野】
本発明は、建物の躯体の天井裏や外壁内部において外部と連通させた通気層を設けてなる建物の通気構造に関する。
【０００２】
【従来の技術】
従来、建物の躯体の天井裏や外壁内部においては、外部と連通させた通気層を設けることが一般に行われている。すなわち、建物の天井裏や外壁内部等における空間や間隙においては、内外の温湿度差による結露が生じるため、上記天井裏等は外部と連通させた通気層を設けていなければ、上記した結露水分によって屋根裏部材や外壁部材が腐食していまい、建物の長期利用は不可能であった。
しかも、屋根は一般的に外壁に比べ日射の入射角度が大きいため、外壁に比べ、屋根裏等の空間はより高温・多湿となりやすい。
【０００３】
そのため、従来は、図１０に示す通気構造を有する建物が一般的なものとして利用されている。すなわち、図１０は建物の軒先部を示すもので、外壁パネル１０２によって屋根１０１が支持され、この屋根１０１と外壁パネル１０２と天井部１０３とで天井裏空間１０６が形成され、また屋根１０１と外壁パネル１０２と軒裏天井材１０４によって軒裏空間１０５が形成されている。
そして、上記軒裏天井材１０４には適宜な通口を開口し、該通口に網体等を装着して外部と軒裏空間１０５を連通する通気口１０７を形成することにより、軒裏空間１０５への通気層Ｘを設けていた。そしてまた、軒裏空間１０５と天井裏空間１０６との間においては、屋根１０１と天井部１０３との間に外部と軒裏空間１０５と天井裏空間１０６とを連通する通気口１０８を形成することにより、天井裏空間１０６への通気層Ｙを設けていた。軒裏空間１０４を有さない建物にあっては、上記通気口１０８を直接外部と連通させて通気層Ｙを独立させて設けるようにしていた。
【０００４】
また従来例として、図１１は他の建物の軒先部を示すもので、外壁パネル１０２によって屋根１０１が支持され、この屋根１０１と外壁パネル１０２と天井部１０３とで天井裏空間１０６が形成され、また屋根１０１と外壁パネル１０２と軒裏天井材１０４によって軒裏空間１０５が形成されている。
そして、上記軒裏天井材１０４には適宜な通口を開口し、該通口に網体等を装着して外部と軒裏空間１０５を連通する通気口１０７を形成することにより、軒裏空間１０５への通気層Ｘを設けていた。そしてまた、軒裏空間１０５と天井裏空間１０６との間においては、その間の外壁パネル１０２に適宜な通口を開口し、該通口に網体等を装着して外部と軒裏空間１０５と天井裏空間１０６とを連通する通気口１０９を形成することにより、天井裏空間１０６への通気層Ｙを設けていた。
以上のような通気層Ｘと通気層Ｙとによって、建物の天井裏や軒裏空間への十分な通気を行うようにしていた。
【０００５】
【発明が解決しようとする課題】
従来の建物の通気構造は以上のように、軒裏天井材１０４に適宜な通口を開口して外部と軒裏空間１０５を連通する通気口１０７を形成することにより、軒裏空間１０５への通気層Ｘを設け、また、軒裏空間１０５と天井裏空間１０６との間には天井裏空間１０６に連通する通気口１０８、１０９等を形成することにより、天井裏空間１０６への通気層Ｙを設けるようにしていた。
したがって、外壁パネル１０２や軒裏天井材１０４への開口部の形成作業に多大の手間を要し、また軒裏空間１０５のように狭い空間内における外壁パネル１０２への開口作業を余儀なくされて、上記通気層Ｘ，Ｙの設置には手間のかかる効率の悪い作業を強いられていた。
【０００６】
本発明は、かかる問題点に鑑みてなされたものであり、建物の躯体の天井裏や外壁内部において外部と連通させた通気層を簡易な構造によって提供するものとし、また、屋根に防水シートを用いて防水構造とする場合には、防水構造と通気構造を兼用して、効率良く天井裏等の通気をなしうるようにした建物の通気構造を提供することにある。
【０００７】
【課題を解決するための手段】
上記問題点を解決するための手段として、本発明のうち請求項１に記載の発明は、建物の躯体を屋根と躯体壁と該躯体壁の外表面に配置された外壁とを有して構成し、
上記躯体壁に対し基板と連係板と支持板とからなる断面略コ字状をした支持金具を取付けるものであって、この支持金具は上記外壁の上面部を渡架するようにその基板を上記躯体壁に固定すると共に、その支持板を上記外壁の外表面に配置してなり、
上記支持金具の支持板と外壁との間に壁外通気層を設けると共に、屋根と天井部との間の天井裏に上部通気層を設け、この上部通気層と上記壁外通気層とを上記支持金具の連係板を介して連通させてなることを特徴とする。
【０００８】
また、請求項２に記載の発明は請求項１に記載の発明において、上記外壁と支持金具との間に開口部を設け、該開口部を介して上記支持金具と外壁との間に壁外通気層が設けられていることを特徴とする。
【０００９】
また、請求項３に記載の発明は請求項１に記載の発明において、上記躯体壁と外壁との間に壁内通気層を設け、この壁内通気層と上記壁外通気層とを上記支持金具の連係板を介して連通させてなることを特徴とする。
【００１０】
また、請求項４に記載の発明は請求項３に記載の発明において、上記上部通気層と壁内通気層と壁外通気層とが相互に連通してなることを特徴とする。
【００１１】
また、請求項５に記載の発明は建物の躯体を屋根と躯体壁と該躯体壁の外表面に配置された外壁とを有して構成し、
上記躯体壁に対し基板と連係板と支持板とからなる断面略コ字状をした支持金具を取付けるものであって、この支持金具は上記外壁の上面部を渡架するようにその基板を上記躯体壁に固定すると共に、その支持板を上記外壁の外表面に配置してなり、
上記屋根には防水シートを設けてその端部を該屋根の外縁部から下方に垂下させ、この垂下部を上記躯体に取付けた支持金具の支持板に張着し、上記屋根の外縁部に垂直部材と水平部材とを有する略Ｌ字状の外縁金具を取付けると共に、上記垂直部材を上記支持金具の支持板に、その間に上記防水シートの垂下部を介在して固定してなり、
上記外縁金具及び支持金具と外壁との間に壁外通気層を設けると共に、屋根と天井部との間の天井裏に上部通気層を設け、この上部通気層と上記壁外通気層とを上記支持金具の連係板を介して連通させてなることを特徴とする。
【００１２】
また、請求項６に記載の発明は請求項５に記載の発明において、上記外壁と支持金具及び外縁金具との間に開口部を設け、該開口部を介して上記支持金具及び外縁金具と外壁との間に壁外通気層が設けられていることを特徴とする。
また、請求項７に記載の発明は請求項５に記載の発明において、上記躯体壁と外壁との間に壁内通気層を設け、この壁内通気層と上記壁外通気層とを上記支持金具の連係板を介して連通させてなることを特徴とする。
【００１３】
【発明の実施の形態】
本発明の建物の通気構造に関し、その実施の形態について図面を用いて説明する。図１は本発明の建物の通気構造の上面図であり、図２は図１の縦断面図であり、図３は第１の通気構造を説明するための説明図であり、図４は図３の分解説明図であり、図５は第２の通気構造を説明するための説明図であり、図６は図５の分解説明図であり、図７は第１の通気金具の詳細図であり、図８は第２の通気金具の詳細図である。
【００１４】
本発明の建物の通気構造は、主として躯体の天井裏や外壁内部において各々に通気層を設けるように構成されることを特徴としている。そして、本発明の通気構造は、基本的には屋根等の防水構造とは独立して設けるものであり、また一方、防水構造と連係して設けることにより、より一層効率の良い通気施工をなしうるようにしている。したがって、以下の実施例においては、通気構造を防水構造と連設した例に基づいて説明する。
【００１５】
本発明における建物の通気構造は、躯体１０を屋根２０と躯体壁１１と該躯体壁１１の外表面に配置された外壁１３とを有して構成し、上記外壁１３と外部との間に壁外通気層Ａを設けると共に、屋根２０と天井部１２との間の天井裏に上部通気層Ｂを設け、この上部通気層Ｂと上記壁外通気層Ａとを連通させるように構成してなる。
また、上記躯体壁１１と外壁１３との間に壁内通気層Ｃを設け、この壁内通気層Ｃと上記壁外通気層Ａと、壁内通気層Ｃと上部通気層Ｂとをそれぞれ連通させるように構成してなる。
【００１６】
まず、本発明の通気構造は、平坦な屋根を用いた平屋根構造の建物を例に説明する。すなわち、平坦状に形成した屋根２０を躯体壁１１等を有する躯体１０で支持し、外壁１３を躯体壁１１の外側に所望の手段により配置してなる。
また、上記躯体壁１１に対し基板６１，７１と連係板６２，７２と支持板６３，７３とからなる断面略コ字状をした支持金具６０，７０を取付けるものであって、この支持金具６０，７０は上記外壁１３の上面部を渡架するようにその基板６１，７１を上記躯体壁１１に固定すると共に、その支持板６３，７３を上記外壁１３の外表面に配置してなる。
また更に、屋根２０には防水シート２２を張設してなり、この防水シート２２の端部に屋根２０の外縁部から下方にかけて垂下させた垂下部２３を設け、屋根２０の外縁部に垂直部材４１，５１と水平部材４２，５２とを有する外縁金具４０，５０を取付けた構造としている。
【００１７】
躯体１０は、図１，２に示すように略円形状をなしており、主として躯体壁１１と、躯体壁１１に対して水平状に組み立てられた天井部１２と、躯体壁１１の外側で平行な状態で配置された外壁１３等から構成されている。躯体壁１１は、垂直に組み立てられた側柱１１ａと、該側柱１１ａと平行に組み立てられた角材１１ｂから構成され、一方の側柱１１ａ（図２中左方）の先端には軒桁１４が垂直に交差する状態で掛け渡されている。また、側柱１１ａの外表面側には、万一浸入した水分の躯体１０への浸入を防止し、且つ、ビス６５の貫通部による止水性を確保するための水切りシート１５が貼着されている。すなわち、外壁１３に貼り付ける防水紙のジョイント部の防水性を確保する目的で外壁１３に先貼りしている。
また外壁１３は、複数の壁材を積層させた外壁体から成り、躯体壁１１に所望の手段によって取付けられ、躯体壁１１及び屋根２０の間に任意の空間が設けられてなる。
【００１８】
この略円形の躯体１０は、図２において、左方（水上部）から右方（水下部）にかけて漸次高さが低くなるように下り傾斜させて躯体壁１１等が組み立てられており、この躯体１０に平坦な屋根２０が保持される。
すなわち、この屋根２０は、躯体１０における軒桁１４や角材１１ｂ等によって勾配を持った状態で保持される。具体的には底辺と垂辺の割合を約５０対１の勾配を設けて屋根２０上面の水はけを良好なものとしている。図２において、左側の図面と右側の図面とに段差を設けているのは、この勾配を表している。
【００１９】
屋根２０は、一例として円形状をしていると共に、平坦状をなしており、図２において下から屋根下地材たる野地合板２１、防水シート２２、接着シート２４、パネル状の表面仕上げ材２５が順次積層されるように構成されている。防水シート２２が積層されているのは、雨、雪等により水が屋内に浸入しないようにするためである。
そしてこの屋根２０の一部をなしている積層された一枚の防水シート２２には、屋根２０の外縁部全体から下方にかけて垂下して垂下部２３が設けられている。防水シート２２の外形を表面仕上げ材２５等より大きくして、屋根２０を躯体１０に取付ける際、自然に垂下部２３が屋根２０の外縁全体に渡って垂れ下がるようにしている。
【００２０】
このような各シートが積層される屋根２０の外縁部の一部に、第１の外縁金具４０が取付けられる。第１の外縁金具４０は、防錆のためのアルマイト処理を施したアルミ型材から構成され、図１に示すように２２５度の角度を有する環状を呈している。
図３，７に示すように、この第１の外縁金具４０は、垂直部材４１と、該垂直部材４１対して水平状に直交する水平部材４２とを有して構成され、該水平部材４２の上面における直交部には囲部４３が設けられている。
具体的には図７に示すように、一枚の湾曲した金属板（図７中の縦方向に位置する板）に、これと垂直に幅の異なる３枚の湾曲した金属板を溶接することによって形成される。なお、図中網目のハッチングを施しているのが溶接部分である。
【００２１】
この第１の外縁金具４０は、屋根２０の外縁部に取付けられる。すなわち、図３，４に示すように、水平部材４２が表面仕上げ材２５と防水シート２２との間に配置された状態で取付けられる。
水平部材４２は、その下面が接着シート２４により貼着されると共に、その上面に表面仕上げ材２５が積層されて配置されている。図中下から野地合板２１、防水シート２２、接着シート２４、水平部材４２、表面仕上げ材の重合部２６順に積層された状態になっている。そして、第１の外縁金具４０の略全周（外周のほとんど）に渡る、垂直部材４１と水平部材４２とで囲まれた鉤状部分には防水シート２２の垂下部２３が垂れ下がった状態になっている。
【００２２】
このように垂れ下がった垂下部２３は、第１の外縁金具４０の垂直部材４１と断面コ字状の第１の支持金具６０とに挟持されて固定される。
第１の支持金具６０は、第１の外縁金具４０と同様に２２５度の角度を有する環状を呈しており、断面を説明すると、図３，７等に示すように、垂直状の基板６１と該基板６１の端部から水平に延びる連係板６２と該連係板６２の端部から下方に向けて垂直に延びる支持板６３とから構成され、この３枚の金属板を溶接することにより断面コ字状をなしている。なお、図７中網目のハッチングを施しているのが溶接部分である。
また、連係板６２にはパンチング等によって形成された２列状で各列複数の通気孔６４，６４が形成されている。
【００２３】
この断面コ字状の第１の支持金具６０は、外壁１３の上端部を囲むように躯体壁１１に取付けられる。すなわち、基板６１に予め形成された貫通孔にスクリュー状のビス６５を貫通させることによって、第１の支持金具６０は基板６１によって躯体壁１１に固定される。
一方で、反対側に位置する支持板６３は、第１の外縁金具４０の水平部材４２と垂直部材４１とに囲まれた鉤状部分に垂れ下がった垂下部２３を、垂直部材４１と共に密着状に挟持する。そして、垂直部材４１と支持板６３とに予め形成された貫通孔に固定手段たるビス４４を、防水シート２２を突き抜いて貫通させて、受け部４５と共に固定する。このとき支持板６３は、躯体１０の実質的な外表面として機能している。
【００２４】
第１の支持金具６０の連係板６２には、通気孔６４が設けられているので、図３中矢印で示すように、屋内（屋根面）から屋外、外壁１３と躯体壁１１との間から屋外、とに空気が流れるので、屋根裏通気、壁面通気が確保できる。
すなわち、上記外壁１３と外部との間に壁外通気層Ａを設けるもので、実施例においては壁外通気層Ａは、外壁１３と支持金具６０の支持板６３及び第１の外縁金具４０の垂直部材４１との間に設けてある。
また、この壁外通気層Ａは、外壁１３と支持金具６０の支持板６３の下端部もしくは第１の外縁金具４０の垂直部材４１の下端部との間に設けた開口Ｄを介して外部と連通してある。
【００２５】
また、屋根２０と天井部１２との間の天井裏には上部通気層Ｂを設けてあり、この上部通気層Ｂと上記した壁外通気層Ａとを、支持金具６０の連係板６２に設けた通気口６４を介して連通させてある。すなわち、上部通気層Ｂは、支持金具６０の連係板６２に設けた通気口６４を介して壁外通気層Ａと連通することにより外部と自在に連通することとなり、その結果、天井裏は外部と常に通気状態を維持されている。また、上部通気層Ｂは、天井裏と支持金具６０の連係板６２の上面とを軒桁１４を通して連通して形成され、そして連係板６２の通気口６４を介して壁外通気層Ａと連通してある。
【００２６】
また更に、上記躯体壁１１と外壁１３との間に壁内通気層Ｃを設けてあり、この壁内通気層Ｃと上部通気層Ｂと壁外通気層Ａとを、支持金具６０の連係板６２に設けた通気口６４，６４を介してそれぞれ連通させるように構成してなる。
上記した壁外通気層Ａと上部通気層Ｂと壁内通気層Ｃとには、それぞれ図示を省略してあるが必要により断熱材を充填して、断熱状態を維持しつつ通気を行うようにしてある。
また、上記した支持金具６０は、実質的に屋根部材を支持するために躯体壁１１に取付けられるもので、この屋根部材としては、上記した外縁金具４０に限定されず、如何なる形態のものであっても良い。また、当然に防水構造を採用しない建物に本発明の通気構造を用いて良いこと勿論である。
更に、上記した壁外通気層Ａと上部通気層Ｂと壁内通気層Ｃは、後述する図２、図５に示すように、第２の外縁金具５０と支持金具７０との部所にも、同様に形成されるものである。
【００２７】
次に、第１の外縁金具４０の水平部材４２の上面に設けられた囲部４３は、屋根２０の中心に向かって屈曲しており、該囲部４３には表面仕上げ材２５の端部の一部が差し込まれて保持される。第１の外縁金具４０の水平部材４２の上面に配置された表面仕上げ材２５の外周端部の一部である、図１に示すような２２５度の角度を有する部分は、差込部２７をなしており、該差込部２７は図２，３に示すように囲部４３に差し込まれている。
【００２８】
この差込部２７が差し込まれた囲部４３には、コーキング材２９が充填される。コーキング材２９は常温において硬化する強力なガムシールから構成され、このコーキング材２９は、囲部４３の内部全体に充填され、このようにコーキング材２９が充填されることにより、表面仕上げ材の差込部２７が隙間を有することなく完全に被覆される。そして、差込部２７が被覆されることによって、雨水等が差込部２７から浸入することが防止される。
【００２９】
一方、屋根２０の外縁部における第１の外縁金具４０が取付けられた部分と異なる部分、本実施の形態では第１の外縁金具４０に連結するように、第２の外縁金具５０が取付けられる。第２の外縁金具５０は、防錆のためのアルマイト処理を施したアルミ型材から構成され、図１に示すように１３５度の角度を有する環状を呈している。図５，８等に示すように、この第２の外縁金具５０は垂直部材５１と該垂直部材５１対して水平状に直交した水平部材５２とを有し、該水平部材５２の端部には垂直部材５１と略Ｔ字状をなすように、延出部５３が一体形成されている。具体的には図８に示すように、一枚の湾曲した金属板（垂直部材５１）（図８中の縦方向に位置する板）の一端に、これと垂直に湾曲した金属板（水平部材５２）をＴ字状になるように溶接し、さらに他端に幅細の湾曲した金属板を溶接することによって形成される。なお、図中網目のハッチングを施しているのが溶接部分である。
【００３０】
このような形状をした第２の外縁金具５０は、屋根２０に取付けられる。すなわち、図５，６に示すように、水平部材５２が表面仕上げ材２５と防水シート２２との間に配置された状態で取付けられる。この第２の外縁金具の水平部材５２と屋根２０との積層関係は、第１の外縁金具４０の場合と同様なのでここでは詳しい説明を省略する。防水シート２２の垂下部２３が、第２の外縁金具５０の略全周に渡る、水平部材５２と垂直部材５１とに囲まれた鉤状部分に垂れ下がった状態になっているのも同様である。
【００３１】
このように垂れ下がった垂下部２３は、第２の外縁金具５０の垂直部材５１と断面コ字状の第２の支持金具７０とに挟まれて固定される。
第２の支持金具７０は、第２の外縁金具と同様に１３５度の角度を有する環状を呈しており、断面は第１の支持金具６０と同様であり、図５，８等に示すように、垂直に延びる基板７１と該基板７１にの端部から垂直に延びる連係板７２と該連係板７２の端部から下方に向けて垂直に延びる支持板７３とから構成され、この３枚の金属板を溶接することにより断面コ字状をなしている。なお、図８中網目のハッチングを施しているのが溶接部分である。また、連係板７２にパンチング等によって形成された２列複数の通気孔７４，７４が形成されているのも第１の支持金具６０と同様である。
【００３２】
この断面コ字状の第２の支持金具７０は、第１の支持金具６０と同様に、外壁１３の上端部を囲むように躯体壁１１に取付けられる。すなわち、基板７１にあらかじめ形成された貫通孔にスクリュー状のビス７５を貫通させることによって、第２の支持金具７０は躯体壁１１に固定される。
一方で、反対側に位置する支持板７３は、第１の支持金具６０と同様に、第２の外縁金具５０の水平部材５２と垂直部材５１とに囲まれた鉤状部分に垂れ下がった垂下部２３を、垂直部材５１の略全側面と共に密着状に挟持する。そして、垂直部材５１と支持板７３とにあらかじめ形成された貫通孔に固定手段たるビス５４を、防水シート２２を突き抜いて貫通させて、受け部５５と共に固定する。このとき支持板７３は、躯体１０の実質的な外表面として機能している。
【００３３】
第２の支持金具の連係板７２にも、第１の支持金具の連係板６２と同様に通気孔７４が設けられており、図５中矢印で示すように、屋根裏通気、壁面通気が確保できる。
すなわち、上記外壁１３と外部との間に壁外通気層Ａを設けるもので、実施例においては壁外通気層Ａは、外壁１３と支持金具７０の支持板７３及び第２の外縁金具５０の垂直部材５１との間に設けてある。
また、この壁外通気層Ａは、外壁１３と支持金具７０の支持板７３の下端部もしくは第２の外縁金具５０の垂直部材５１の下端部との間に設けた開口Ｅを介して外部と連通してある。
【００３４】
また、屋根２０と天井部１２との間の天井裏には上部通気層Ｂを設けてあり、この上部通気層Ｂと上記した壁外通気層Ａとを、支持金具７０の連係板７２に設けた通気口７４を介して連通させてある。すなわち、上部通気層Ｂは、支持金具７０の連係板７２に設けた通気口７４を介して壁外通気層Ａと連通することにより外部と自在に連通することとなり、その結果、天井裏は外部と常に通気状態を維持されている。また、上部通気層Ｂは、天井裏と支持金具７０の連係板７２の上面とを軒桁１４を通して連通して形成され、そして連係板７２の通気口７４を介して壁外通気層Ａと連通してある。
【００３５】
また、上部通気層Ｂは、前述した第１の支持金具６０側に設けた上部通気層Ｂと実質的に一体的に形成され、両側の開口Ｄ，Ｅを介してそれぞれ外部と連通している。すなわち、第１の支持金具６０側の開口Ｄからの通気は、第１の壁外通気層Ａから連係板６２の通気口６４を介して壁外通気層Ａと連通し、次に、第２の連係板７２の通気口７４を介して壁外通気層Ａと連通して、開口Ｅより外部に排出される。また、風向きにより、上記と逆の通気がなされることも当然にある。
また更に、上記躯体壁１１と外壁１３との間に壁内通気層Ｃを設けてあり、この壁内通気層Ｃと上部通気層Ｂと壁外通気層Ａとを、支持金具７０の連係板７２に設けた通気口７４を介してそれぞれ連通させるように構成してなる。
上記した壁外通気層Ａと上部通気層Ｂと壁内通気層Ｃとには、それぞれ必要により断熱材を充填して、断熱状態を維持しつつ通気を行うようにしてある。
【００３６】
第２の外縁金具の水平部材５２の端部に一体形成された延出部５３は、第２の外縁金具５０が屋根２０に取付けられた状態において、屋外側に延出し、該延出部５３には、表面仕上げ材２５の端部の一部が重合されて、固定手段によって固定さる。
上記表面仕上げ材２５の外周端部うち、差込部２７をなしている部分と異なる部分、すなわち第２の外縁金具５０の水平部材５２の上面に配置された表面仕上げ材２５の外周端部は、延伸部２８をなしている。図１における１３５度の角度を有する端部のことを指す。この延伸部２８は図２，５に示すように第２の外縁金具の延出部５３に重合されている。
【００３７】
このように屋外側に延出している、延出部５３と延伸部２８は、この屋外側で固定手段によって固定される。すなわち、第２の外縁金具の延出部５３にあらかじめ設けられた貫通孔に固定手段たるビス３０を、表面仕上げ材の延伸部２８を突き抜いて貫通させて、受け部３１と共に固定する。つまり、第２の外縁金具の水平部材５２と表面仕上げ材２５の端部を延出させて屋外側でビス固定することにより、防水シート２２を突き破ることなく屋根の固定ができ、さらに屋外側での固定なので屋内への水漏れの危険性がない。
なお、図２，５において受け部３１を表面仕上げ材の延伸部２８の端部の端面に合わせて固定しているが、これは延伸部２８のめくり上がりを防止するためである。
【００３８】
本発明の建物の通気構造は、以上の様に構成されており、例えば雨が降った場合、図１に示すように屋根２０は、図中下方から上方にかけて勾配を持っているので、雨水が図中上方に流れる。そして、図中上方には第２の外縁金具５０が取付けられているので、その延出部５３から雨水等が円滑に排水される。なお、第１の外縁金具４０には囲部４３が設けられているが、豪雨により雨水が囲部４３に溜まったとしても、上述のとおりコーキング材２９により雨水の浸入が防止される。
【００３９】
本発明の建物の通気構造における実施の形態として、円形建築物に設けられる屋根について説明したが、本発明の建物の通気構造は、図９に示すように建物８０に取付けられた平坦な屋根、例えば玄関の屋根にも好適に利用される。図９は、本発明の建物の通気構造における他の実施の形態にかかる上面図である。
建物８０は、図面には現れていないが、木造の建築物でも、ユニット建物でも何れの建物でも良い。屋根２０には、上述した実施の形態と同様に、勾配がつけられており、雨水が図中下方から上方にかけて流れるようになっている。
【００４０】
第１の，第２の外縁金具４０，５０は、上述の実施の形態と同様に、屋根２０の外縁部に取付けられているが、本形態では、第１の，第２の外縁金具４０，５０は、屋根２０の外縁部のうち、建物８０とも接合部分８１を除いた部分に取付けられている。
具体的には、第１の外縁金具４０は、略直線状に形成され、接合部分８１の端部から、建物８０に対して垂直に２本取付けられている。第２の外縁金具５０は、１３５度の角度を有する環状を呈し、一方の第１の外縁金具４０と他方の外縁金具４０との端部を結合するように、取付けられる。こうすることにより、第２の外縁金具５０から円滑に雨水等が排水される。
上記した建物８０においても、上記したと同様の壁外通気層Ａと上部通気層Ｂと壁内通気層Ｃが形成される。その構成は上述の実施の形態と同様なのでここではその説明を省略する。
【００４１】
なお、本発明の建物の通気構造は、上述した形態に限られないのはいうまでもなく、矩形状の屋根に好適に利用される。もちろん、この矩形状の屋根を更に建物に取付けたものにも適用される。また、防水シート２２の垂下部２３が固定される躯体１０の実質的な外表面として、実施の形態では第１の，第２の支持金具の支持板６３，７３を挙げたが、外壁１３もこの外表面となりうる。すなわち、第１の，第２の外縁金具の垂直部材４１，５１と垂下部２３とを、直接外壁１３にビス固定した形態でも良い。
【００４２】
【発明の効果】
本発明の建物の通気構造は、躯体壁に対し基板と連係板と支持板とからなる断面略コ字状をした支持金具を取付けるものであって、この支持金具は上記外壁の上面部を渡架するようにその基板を上記躯体壁に固定すると共に、その支持板を上記外壁の外表面に配置してなり、上記支持金具の支持板と外壁との間に壁外通気層を設けると共に、屋根と天井部との間の天井裏に上部通気層を設け、この上部通気層と上記壁外通気層とを上記支持金具の連係板を介して連通させてなることから、屋根部材の支持金具を利用することによって、天井裏の通気を行う上部通気層を極めて簡易に形成することができ、また、この上部通気層は外壁部に設けた壁外通気層を介して外部と自在に連通してあることから、天井裏の換気を簡易な構造によって適確に行うことができる効果がある。
【００４３】
しかも、上部通気層とともに躯体壁には壁内通気層を設けてあり、これらと壁外通気層とを相互に連通自在としてあることから、天井裏の換気とともに壁内部の換気を、相互に連通する各通気層によって適確に行うことができる効果がある。
【００４４】
しかも、請求項４の発明にあっては、屋根には防水シートを設けてその端部を該屋根の外縁部から下方に垂下させ、この垂下部を上記躯体に取付けた支持金具の支持板に張着し、上記屋根の外縁部に垂直部材と水平部材とを有する略Ｌ字状の外縁金具を取付け、上記垂直部材を上記支持金具の支持板に、その間に上記防水シートの垂下部を介在して固定し、上記外縁金具及び支持金具と外壁との間に壁外通気層を設けると共に、屋根と天井部との間の天井裏に上部通気層を設け、この上部通気層と上記壁外通気層とを上記支持金具の連係板を介して連通させてなることから、屋根面の防水性の向上を図りつつ、外壁に比べより高温・多湿となりやすい屋根裏の空間が、上記上部通気層と壁外通気層とによって、十分なる換気を適確に行うことができる効果がある。
【図面の簡単な説明】
【図１】本発明の建物の通気構造の上面図。
【図２】本発明の建物の通気構造部分断面図。
【図３】本発明の建物の通気構造にかかる第１の通気構造を説明するための説明図。
【図４】図３の分解説明図。
【図５】本発明の建物の通気構造にかかる第２の通気構造を説明するための説明図。
【図６】図５の分解説明図。
【図７】本発明の建物の通気構造にかかる第１の通気金具の詳細図。
【図８】本発明の建物の通気構造にかかる第２の通気金具の詳細図。
【図９】本発明の建物の通気構造における他の実施の形態にかかる上面図。
【図１０】従来の建物の通気構造の部分断面図。
【図１１】従来の他の建物の通気構造の部分断面図。
【符号の説明】
Ａ  壁外通気層
Ｂ  上部通気層
Ｃ  壁内通気層
Ｄ，Ｅ  開口
１０  躯体
１１  躯体壁
１２  天井部
１３  外壁
１４  軒桁
１５  水切りシート
２０  屋根
２１  野地合板（屋根下地材）
２２  防水シート
２３  垂下部
２４  接着シート
２５  表面仕上げ材
２６  重合部
２７  差込部
２８  延伸部
２９  コーキング材
３０  ビス
４０  第１の外縁金具
４１  垂直部材
４２  水平部材
４３  囲部
４４  ビス
５０  第２の外縁金具
５１  垂直部材
５２  水平部材
５３  延出部
５４  ビス
６０  第１の支持金具
６１  基板
６２  連係板
６３  支持板
６４  通気孔
７０  第２の支持金具
７１  基板
７２  連係板
７３  支持板
７４  通気孔
８０  建物
【図１】
0003983462.tif 000002
【図２】
0003983462.tif 000003
【図３】
0003983462.tif 000004
【図４】
0003983462.tif 000005
【図５】
0003983462.tif 000006
【図６】
0003983462.tif 000007
【図７】
0003983462.tif 000008
【図８】
0003983462.tif 000009
【図９】
0003983462.tif 000010
【図１０】
0003983462.tif 000011
【図１１】
0003983462.tif 000012